(57)【要約】【課題】ビルの工事現場等に設置された仮囲いパネルや仮設ハウスの壁面を利用した映像投影システムを提案すること。【解決手段】本発明にかかる映像投影システムにおいては、工事現場と外部との間に配設された仮囲いパネルの一部を、外部から見て工事現場側に凹ませて、空間を形成し、前記空間の周囲の壁面に透明もしくは半透明のスクリーンを配設し、前記スクリーンに工事現場側から映像を投影する投影手段を配設した。仮囲いの内側に設置した仮設ハウスの内部に投影手段を配設してもよい。また、仮囲いパネルや仮設ハウスの壁面をスクリーンと兼用してもよい。【選択図】            図１
2004151489.tif 000002
【特許請求の範囲】
【請求項１】
工事現場と外部との間に配設された仮囲いパネルの一部を、外部から見て工事現場側に凹ませて、空間を形成し、
前記空間の周囲の壁面に透明もしくは半透明のスクリーンを配設し、
前記スクリーンに工事現場側から映像を投影する投影手段を配設したことを特徴とする映像投影システム。
【請求項２】
前記投影手段は、建屋内に配設されていることを特徴とする請求項１に記載の映像投影システム。
【請求項３】
工事現場と外部との間に配設された仮囲いパネルの一部に透明もしくは半透明のスクリーンを配設し、
前記スクリーンに、工事現場側に設けた建屋内に設置した投影手段から映像を投影するように構成したことを特徴とする映像投影システム。
【請求項４】
前記スクリーンは、前記仮囲いパネルを兼ねている構成としたことを特徴とする請求項１乃至３の何れかに記載の映像投影システム。
【請求項５】
前記スクリーンは、前記建屋の壁を兼ねている構成としたことを特徴とする請求項２乃至４の何れかに記載の映像投影システム。
【請求項６】
前記投影手段は、インターネットを介して配信された映像を投影するように構成されていることを特徴とする請求項１乃至５の何れかに記載の映像投影システム。
【請求項７】
移動設置可能な建屋の壁面の少なくとも一部を、透明もしくは半透明のスクリーンとするとともに、前記スクリーンに建屋内側から映像を投影する投影手段を配設したことを特徴とする映像投影システム。
【発明の詳細な説明】
【０００１】
【発明の属する技術分野】
本発明は、ビルの工事現場等に設置された仮囲いパネルを利用した映像投影システムに関するものである。
【０００２】
【従来の技術】
従来より、市中には、ビル等の壁面や屋上、もしくは通路の天井等に、大型もしくは小型のディスプレイ装置が配設され、種々の広告映像等が表示されている。
【０００３】
また、マンションの建築に当たっては、建築工事と並行して、そのマンションの１戸に対応したモデルルームを設けて、営業を行うことが行われている。
そのようなモデルルームの費用は、当該マンションの１戸の販売価格と同程度の費用がかかると言われている。
【０００４】
【発明が解決しようとする課題】
前述したように、市中に新たにディスプレイ装置を設置するための場所を確保することは、費用の点や諸規制の問題をクリアしなければならないという問題があった。
また、マンション建築に際してのモデルルームの費用は、当該マンションの１戸の販売価格と同程度の費用がかかると言われ、また、モデルルームの設置場所を確保することも容易ではなかった。
例えば、せっかく、立地条件の優れた場所、即ち、地価が高く、空き用地が少ない場所にマンションを建築する場合に、モデルルームをその近隣に設置することは費用の点と、用地を確保することが困難である点から、モデルルームは当該マンションの予定地から離れた場所に設置せざるを得ない場合が多かった。モデルルームが実際のマンションの予定地から離れている不便な場所にある場合には、購入希望者は手軽に見学にいけないため、当該マンションに対する購入意欲が低下するという問題があった。
また、マンションの高層階からの眺望をアピールすることも困難であって、せっかく立地条件が優れて条件の良いマンションであっても、購入希望者に効果的に、且つ、手軽にそのセールスポイントをアピールすることが困難であった。
【０００５】
そこで、本発明は、ビルの工事現場等に設置された仮囲いパネルを利用した映像投影システムを提案し、マンションの工事現場の場合には、そのマンションのモデルルームの内部のシミュレーション映像もしくは窓からの眺望映像等を投影することを可能とすることを目的としてなされたものである。
【０００６】
【課題を解決するための手段】
本発明にかかる映像投影システムの請求項１においては、
工事現場と外部との間に配設された仮囲いパネルの一部を、外部から見て工事現場側に凹ませて、空間を形成し、
前記空間の周囲の壁面に透明もしくは半透明のスクリーンを配設し、
前記スクリーンに工事現場側から映像を投影する投影手段を配設した。
請求項２では、前記投影手段は、建屋内に配設されている。
請求項３では、工事現場と外部との間に配設された仮囲いパネルの一部に透明もしくは半透明のスクリーンを配設し、
前記スクリーンに、工事現場側に設けた建屋内に設置した投影手段から映像を投影するように構成した。
請求項４では、前記スクリーンは、前記仮囲いパネルを兼ねている構成とした。
請求項５では、前記スクリーンは、前記建屋の壁を兼ねている構成とした。
請求項６では、前記投影手段は、インターネットを介して配信された映像を投影するように構成されている。
請求項７では、移動設置可能な建屋の壁面の少なくとも一部を、透明もしくは半透明のスクリーンとするとともに、前記スクリーンに建屋内側から映像を投影する投影手段を配設した。
【０００７】
【作用】
本発明によれば、仮囲いパネルの一部を凹ませて形成した空間の周囲の壁面に映像を投影するので、外部の通行に影響を与えることなく、また、種々の規制を受けることなく、広告等の映像を投影することができる。
また、移動設置可能な建屋の壁面の少なくとも一部を、透明もしくは半透明のスクリーンとしたので、内部に設置した投影手段から前記スクリーンに映像を投影することができる。
【０００８】
【発明の実施の形態】
以下に、本発明にかかる映像投影システムを、その実施の形態を示した図面に基づいて詳細に説明する。
【０００９】
図１は、本発明にかかる映像投影システムの実施形態の斜視図である。
図１において、Ｐは工事現場の周囲に形成された仮囲いパネルである。仮囲いパネルＰの内側Ｐｉｎはビルの建設工事現場であり、仮囲いパネルＰの外部Ｐｏｕｔは一般の通路である。
Ｓは前記仮囲いパネルＰの一部を、内側Ｐｉｎ側へ凹ませて形成された空間である。この空間Ｓの周囲の壁Ｗには、透明もしくは半透明の投影用スクリーンが形成されている。
【００１０】
図２は図１に示した映像投影システムの要部の平面断面図である。図２において、仮囲いパネルＰの内側Ｐｉｎに形成された空間Ｓの周囲の壁面Ｗには、仮囲いとしの機能と投影用スクリーンの機能を兼ね備えた壁（これを、以後投影用スクリーンと呼ぶ。）が形成されており、その背面（内側Ｐｉｎ）には、前記壁面Ｗに映像を投影するためのプロジェクタＰＪが配設されている。このプロジェクタＰＪは風雨対策と盗難防止対策等を兼ねて仮設ハウスＨを利用した建屋内に配設されている。また、当然のことながら、仮設ハウスＨを使用せずに、プロジェクタＰＪを設置しても良い。
前記仮設ハウスＨの内部に、前記空間Ｓと前記投影用スクリーンとが形成されており、前記仮設ハウスＨを前記仮囲いパネルＰに形成した開口部に密接させることによって、前記空間Ｓと投影用スクリーンとを形成することができるのである。
【００１１】
図３は図１、２に示した映像投影システムの要部の側面断面図である。図３において、囲いパネルＰの内側Ｐｉｎに形成された空間Ｓの周囲の壁面Ｗに形成された投影用スクリーンの背面（内側Ｐｉｎ）にはプロジェクタＰＪが配設されている。前記プロジェクタＰＪは仮設ハウスＨ内に配設され、前記空間Ｓと前記投影用スクリーンも仮設ハウスＨ内に形成されている。
このような仮設ハウスＨは、建設現場に応じて分解・組立・移動等が可能であるので、迅速に映像投影システムを設置することができる。
【００１２】
前記投影用スクリーンは３方に形成されているが、天井面にも形成することができる。また、投影用スクリーンが形成される壁面や天井面は垂直／水平に形成してもよいが、傾斜させてもよい。また、図２に示したように３面の投影用スクリーンを台形状に形成してもよいが、矩形に形成してもよい。
このような空間Ｓは、仮囲いパネルの複数個所に形成してもよい。
また、空間Ｓに近づいた人間もしくは空間Ｓ内の人間の有無を検出する人感センサーを設けて、人間が近づいたときに映像の投影を開始するように制御しても良い。
また、周囲の明るさもしくは時間帯によって、映像の明るさを制御しても良い。
【００１３】
前記壁面に投影する映像は、実際に撮影した実写映像でも、コンピュータグラフィック等によってシミュレーション技術等を用いて生成した合成映像でも、両者を合成した映像でもよい。また、静止画でも動画でもそれらの混合されたものでもよい。スピーカ等からステレオ音声を出力してもよい。
また、プロジェクタに代えて、大型ディスプレイ装置を利用することもできる。
そして、映像には更に詳細な情報を提供するサーバのＵＲＬを含ませることによって、感心を持った人が、そのＵＲＬによって指定されるサーバを、携帯電話機やパソコン等を用いてアクセスして更に詳細な情報を得やすくすることもできる。
【００１４】
なお、図４に示したように、移動設置が可能な仮設ハウスの壁と、投影用のスクリーンとを兼ねたパネルとすることにより、以下のような効果が得られる。
・仮設ハウス内に、プロジェクタやＤＶＤプレイヤー、または、パソコン等を設置することにより、風雨対策と盗難防止対策が図れる。
・プロジェクタからスクリーンまでの空間が仮設ハウス内に位置することにより、外部からの光が入りにくくなるので、映像をより鮮明にすることができる。
・投影用のスクリーンを仮設ハウスの壁パネルと一体化することにより、当該映像投影システムの設置・移動が簡便になるという効果が得られる。例えば、クレーン付きトラックにより吊り下げるだけで移動・設置が完了するため、イベント等の短期間の使用時にも非常に適している。
前記仮設ハウスの壁と、投影用のスクリーンとを兼ねたパネルを、さらに、仮囲いパネルの機能も兼ねるように構成してもよい。
このとき、スクリーンは、凹ませた空間に設けてもよいが、通常の平面状の壁に設けてもよい。
【００１５】
以上の用に構成された映像投影システムによれば、例えば、マンションの建設現場に設けられた仮囲いパネルの場合には、当該マンションのモデルルームの内部の映像を投影することもできる。
この場合には、室内の映像だけでなく、窓やベランダ、テラス等からの眺望の映像を投影することもできる。このような映像を投影することによって、当該マンションが建設されるその場所からの眺望を確認することができるので、当該マンションの立地条件を気に入った購入希望者は、室内の映像や眺望も確認することができるので、購入を決心しやすくなる。従って、当該発明のシステムによって、モデルルームの機能としては充分な機能を発揮することができる。
【００１６】
従って、立地条件の優れた市中に、モデルルームを設置する場所を確保するという困難な手続が不要となるので、モデルルームまで含めたマンションの建設費用が低減できるという効果が得られる。
また、購入希望者は、立地条件の優れた場所において、モデルルームの内容およびそこからの眺望等を手軽に確認できるので、購入希望者は当該マンションに対する購入意欲が高まるという効果がある。
【００１７】
さらに、上記構成の映像投影システムを、日本各地もしくは世界各地の建設現場等の仮囲いパネルに形成し、それらの映像投影システムで投影する映像を、インターネットを介して配信・管理することによって、モデルルームの映像だけでなく、種々の広告映像（音声を含む）や、ニュース映像や、映画作品等を投影するこもできる。
【００１８】
【発明の効果】
以上のように、本発明の映像配信システムによれば、建設工事現場の仮囲いパネルの内側に設けた空間の壁面に映像を投影するので、種々の制約に束縛されることなく、効果的な映像の投影が可能となる。
特に、マンションの建設現場においては、当該マンションのモデルルームを紹介する映像を投影することによって、高い宣伝広告効果が得られる。
また、仮囲いパネルの内側に凹ませた空間で映像の提供を行うので、一般の該当における映像提供に対するような種々の規制を免れることができる。
また、広告宣伝用の場所を新たに確保する必要がないので、低コストで宣伝広告を提供することができる。
また、移動設置可能な建屋の壁面の少なくとも一部を、透明もしくは半透明のスクリーンとしたので、所望の場所に映像投影システムを迅速に設置できる。
【図面の簡単な説明】
【図１】本発明にかかる映像配信システムの実施の形態の構成の斜視図である。
【図２】図１の要部の平面断面図である。
【図３】図１の要部の側面断面図である。
【図４】映像投影システムを内蔵した仮設ハウスの実施形態の斜視図である。
【符号の説明】
Ｈ    仮設ハウス、建屋
ＰＪ  プロジェクタ
Ｐ    仮囲いパネル
Ｐｉｎ  内側
Ｐｏｕｔ    外側
Ｓ    空間
Ｗ    壁面
【図１】
2004151489.tif 000003
【図２】
2004151489.tif 000004
【図３】
2004151489.tif 000005
【図４】
2004151489.tif 000006